(57)【要約】【課題】  本発明は、眼球の状態の微細な変化も検出可能で、疾患の早期発見等に有用な眼球分析装置および眼球分析方法を提供することを目的とする。【解決手段】  本発明の眼球分析装置は、例えば、光照射手段１０、光分離手段２０、分光手段３１を含み、光照射手段１０により、光が眼球１に照射され、光分離手段２０により、前記光を照射された眼球１から出射する出射光が、眼球１の空間の位置に応じて分離され、分光手段３１により、前記光を照射された眼球１から出射する出射光が、分光される。【選択図】  図１
2019034163.tif 000002
【特許請求の範囲】
【請求項１】
光照射手段、光分離手段、分光手段を含み、
前記光照射手段により、光が眼球に照射され、
前記光分離手段により、前記光を照射された前記眼球から出射する出射光が、前記眼球の空間の位置に応じて分離され、
前記分光手段により、前記光を照射された前記眼球から出射する出射光が、分光される、
眼球分析装置。
【請求項２】
下記のAユニット及びBユニットの少なくとも一方のユニットを含む請求項１記載の眼球分析装置。
（Aユニット）
前記光分離手段および前記分光手段を含み、
前記光分離手段が、マイクロレンズアレイを含み、
前記分光手段が、回折格子を含み、
前記マイクロレンズアレイにより、前記出射光が二次元的に分離され、
前記回折格子により、前記二次元的に分離された出射光が分光される、
ユニット。
（Bユニット）
前記光分離手段および前記分光手段を含み、
前記光分離手段が、撮像手段を含み、
前記分光手段が、波長可変フィルターを含み、
前記波長可変フィルターにより、前記出射光が分光され、
前記撮像手段により、前記分光された出射光が撮像され、撮像して得られた画像上の画素によって前記分光された出射光が二次元的に分離される、
ユニット。
【請求項３】
前記Aユニットを含む眼球分析装置において、さらに、コヒーレントアンチストークスラマン分光（CARS）用光照射手段を含み、
前記CARS用光照射手段により、連続光及びレーザー光の混合光が眼球に照射され、
前記回折格子により、前記混合光が照射された眼球からの出射光に含まれるラマン散乱光が分光される
請求項２記載の眼球分析装置。
【請求項４】
前記CARS用光照射手段が、波長選択フィルターを含み、
前記波長選択フィルターにより、前記混合光が分光され、必要な波長の光のみが選択的に眼球に照射される
請求項３記載の眼球分析装置。
【請求項５】
前記波長選択フィルターが、回折格子および波長選択マスクを含み、
前記回折格子により、前記混合光が分光され、必要な波長の光のみが前記波長選択マスクを通過し、眼球に照射される
請求項４記載の眼球分析装置。
【請求項６】
前記Aユニット及び前記Bユニットにおいて、前記分光手段が、さらに、狭帯域フィルターを含み、
前記分光された出射光が前記狭帯域フィルターを通過する、
請求項２から５のいずれか一項に記載の眼球分析装置。
【請求項７】
さらに、円偏光手段を含み、
前記円偏光手段により、前記眼球に入射する光が、円偏光される、
請求項１から６のいずれか一項に記載の眼球分析装置。
【請求項８】
さらに、円偏光分析手段を含み、
前記円偏光分析手段により、前記眼球の少なくとも一部における、左右の円偏光に対する吸光度の違いが検出される、請求項７記載の眼球分析装置。
【請求項９】
さらに、直線偏光手段を含み、
前記直線偏光手段により、前記連続光を照射された前記眼球から出射する出射光が、直線偏光される、
請求項１から８のいずれか一項に記載の眼球分析装置。
【請求項１０】
さらに、直線偏光分析手段を含み、
前記直線偏光分析手段により前記直線偏光が分析されることで、前記眼球の少なくとも一部における、左右の円偏光に対する屈折率の違いが検出される、
請求項９記載の眼球分析装置。
【請求項１１】
眼球に光を照射する照射工程と、
前記照射された眼球から出射する出射光を、前記眼球の空間の位置に応じて分離する光分離工程と、
前記照射された眼球から出射する出射光を、分光する分光工程と、
を含む眼球分析方法。
【発明の詳細な説明】
【技術分野】
【０００１】
本発明は、眼球分析装置および眼球分析方法に関する。
【背景技術】
【０００２】
光学的方法によって眼球を非侵襲的に測定する装置については、従来から提案されている（例えば、特許文献１等）。
【先行技術文献】
【特許文献】
【０００３】
【特許文献１】特開平５−２６１０６７号公報
【発明の概要】
【発明が解決しようとする課題】
【０００４】
しかしながら、そのような装置では、例えば、眼球中のクリスタリンタンパク質の変性、眼球中の微量物質、網膜の微細な変化等を検出することはできなかったため、疾患の早期発見等が困難であった。
【０００５】
そこで、本発明は、眼球の状態の微細な変化も検出可能で、疾患の早期発見等に有用な眼球分析装置および眼球分析方法を提供することを目的とする。
【課題を解決するための手段】
【０００６】
前記目的を達成するために、本発明の眼球分析装置は、光照射手段、光分離手段、分光手段を含み、前記光照射手段により、光が眼球に照射され、前記光分離手段により、前記光を照射された前記眼球から出射する出射光が、前記眼球の空間の位置に応じて分離され、前記分光手段により、前記光を照射された前記眼球から出射する出射光が、分光される。
【０００７】
本発明の眼球分析方法は、眼球に光を照射する照射工程と、前記照射された眼球から出射する出射光を、前記眼球の空間の位置に応じて分離する光分離工程と、前記照射された眼球から出射する出射光を、分光する分光工程と、を含む。
【発明の効果】
【０００８】
本発明によれば、眼球の状態の微細な変化も検出可能で、疾患の早期発見等に有用な眼球分析装置および眼球分析方法を提供することができる。
【図面の簡単な説明】
【０００９】
【図１】図１は、本発明の眼球分析装置の構成の一例を示す図である。
【図２】図２は、本発明の眼球分析装置の構成の別の一例を示す図である。
【図３】図３は、本発明の眼球分析装置の構成のさらに別の一例を示す図である。
【図４】図４は、本発明の眼球分析装置の構成のさらに別の一例を示す図である。
【図５】図５は、本発明の眼球分析装置の構成のさらに別の一例を示す図である。
【図６】図６は、本発明の眼球分析装置の構成のさらに別の一例を示す図である。
【図７】図７は、本発明の眼球分析装置の構成のさらに別の一例を示す図である。
【図８】図８は、本発明の眼球分析装置の構成のさらに別の一例を示す図である。
【図９】図９は、本発明の眼球分析装置の構成のさらに別の一例を示す図である。
【図１０】図１０は、図９の波長選択フィルターの機能の一例を示すグラフである。
【図１１】図１１は、図９の波長選択フィルターの構成の一例を示す図である。
【図１２】図１２は、波長を変化させた三次元分光分析の概念を示す模式図である。
【発明を実施するための形態】
【００１０】
つぎに、本発明について、例を挙げて説明する。ただし、本発明は、以下の説明により、なんら限定されない。
【００１１】
本発明において、前記眼球に照射される光は、例えば、単色光でも、また、例えば、複数の波長の光を含む混合光であっても良く、例えば、連続光、単色光またはそれらの混合光であっても良い。前記単色光は、例えば、レーザー光であっても良い。前記レーザー光は、例えば、パルスレーザー光でも良いし、ＣＷ（連続発振）レーザー光でも良い。また、前記複数の波長の光を含む混合光は、例えば、連続光であってもよく、複数の単色光の混合光であってもよい。前記連続光は、例えば、白色光、またはスーパーコンティニューム（ＳＣ）光であっても良い。
【００１２】
本発明の眼球分析装置は、例えば、下記のAユニット及びBユニットの少なくとも一方のユニットを含んでいても良い。
（Aユニット）
前記光分離手段および前記分光手段を含み、
前記光分離手段が、マイクロレンズアレイを含み、
前記分光手段が、回折格子を含み、
前記マイクロレンズアレイにより、前記出射光が二次元的に分離され、
前記回折格子により、前記二次元的に分離された出射光が分光される、
ユニット。
（Bユニット）
前記光分離手段および前記分光手段を含み、
前記光分離手段が、撮像手段を含み、
前記分光手段が、波長可変フィルターを含み、
前記波長可変フィルターにより、前記出射光が分光され、
前記撮像手段により、前記分光された出射光が撮像され、撮像して得られた画像上の画素によって前記分光された出射光が二次元的に分離される、
ユニット。
【００１３】
本発明の眼球分析装置は、例えば、前記Aユニットを含む眼球分析装置において、さらに、コヒーレントアンチストークスラマン分光（CARS）用光照射手段を含み、前記CARS用光照射手段により、連続光及びレーザー光の混合光が眼球に照射され、前記回折格子により、前記混合光が照射された眼球からの出射光に含まれるラマン散乱光が分光されても良い。これにより、例えば、さらに感度が高い分析をすることができる。
【００１４】
本発明の眼球分析装置は、例えば、前記CARS用光照射手段が、波長選択フィルターを含み、前記波長選択フィルターにより、前記混合光が分光され、必要な波長の光のみが選択的に眼球に照射されても良い。また、例えば、前記波長選択フィルターが、回折格子および波長選択マスクを含み、前記回折格子により、前記混合光が分光され、必要な波長の光のみが前記波長選択マスクを通過し、眼球に照射されても良い。
【００１５】
本発明の眼球分析装置は、例えば、前記Aユニット及び前記Bユニットにおいて、前記分光手段が、さらに、狭帯域フィルターを含み、前記分光された出射光が前記狭帯域フィルターを通過しても良い。
【００１６】
本発明の眼球分析装置は、例えば、さらに、円偏光手段を含み、前記円偏光手段により、前記眼球に入射する光が、円偏光されても良い。この場合、例えば、本発明の眼球分析装置が、さらに、円偏光分析手段を含み、前記円偏光分析手段により、前記眼球の少なくとも一部における、左右の円偏光に対する吸光度の違い（二色性）が検出されても良い。
【００１７】
本発明の眼球分析装置は、例えば、さらに、直線偏光手段を含み、前記直線偏光手段により、前記連続光を照射された前記眼球から出射する出射光が、直線偏光されても良い。この場合、例えば、本発明の眼球分析装置が、さらに、直線偏光分析手段を含み、前記直線偏光分析手段により前記直線偏光が分析されることで、前記眼球の少なくとも一部における、左右の円偏光に対する屈折率の違い（旋光性）が検出されても良い。
【００１８】
本発明において、前記分光手段による分光は特に制限されず、例えば、前記出射光がラマン散乱光であれば、ラマン分光である。
【００１９】
また、本発明において「分析」とは、特に断らない限り、定量分析（測定）でも良いし、定性分析でも良い。
【００２０】
以下、本発明の具体的な実施形態について説明する。以下の実施形態１〜３は、前記Aユニットを含む眼球分析装置の例である。実施形態４〜６は、前記Bユニットを含む眼球分析装置の例である。実施形態７〜８は、前記Aユニットおよび前記Bユニットを両方含む眼球分析装置の例である。ただし、以下の実施形態は例示であり、本発明は、これにより、なんら限定されない。
【００２１】
［実施形態１］
図１に、本発明の眼球分析装置の構成の一例を示す。同図は、前記Aユニットを含む眼球分析装置の一例である。図示のとおり、この眼球分析装置は、連続光を眼球に照射する光照射手段１０と、Aユニット１００Ａとから構成されている。Aユニット１００Ａは、前記連続光を照射された眼球１から出射（射出）する出射光（射出光）を、眼球１の空間の位置に応じて分離する光分離手段２０と、前記出射光を波長ごとに分光する分光手段３１とを含む。また、Aユニット１００Ａは、さらに、レンズ４１および撮像手段４２を含む。
【００２２】
光照射手段１０は、光源１０Ａ、レンズ１１、ビームスプリッタ１２およびレンズ１３により構成されている。光源１０Ａとしては、例えば、白色光源、スーパーコンティニューム（以下「ＳＣ」ということがある。）光源、またはＬＥＤ（発光ダイオード）等を用いることができる。なお、本発明において、ビームスプリッタは、特に限定されないが、例えば、偏光分離能を有するビームスプリッタでも良いし、偏光分離能が必要ない場合は、偏光分離能を有しないハーフミラー等でも良い。
【００２３】
光分離手段２０は、マイクロレンズアレイ２１、マスク（視野マスク）２２およびレンズ２３により構成されている。レンズ２３は、例えば、テレセントリックレンズであっても良い。
【００２４】
分光手段３１は、回折格子である。分光手段（回折格子）３１は、例えば、VPH（Volume  Phase  Holographic）グレーティングまたはグリズムであっても良い。
【００２５】
レンズ４１は、例えば、コリメータレンズであっても良い。図１において、撮像手段４２は、光が像を表示する撮像素子の前面の部分を示している。撮像手段４２は、例えば、一般的なカメラ、冷却CCD（Charge  Coupled  Device）カメラ、またはCMOS（Complementary  Metal  Oxide  Semiconductor）カメラ、または赤外線に感度を有するカメラであっても良い。
【００２６】
光源１０Ａから照射される連続光の光路には、前記連続光の照射側から順に、レンズ１１およびビームスプリッタ１２がこの順序で配置されている。また、眼球１から出射される出射光の光路には、前記出射光の出射側から順に、レンズ１３、ビームスプリッタ１２、マイクロレンズアレイ２１、マスク２２、レンズ２３、回折格子３１、レンズ４１および撮像手段４２が、この順序で配置されている。また、光源１０Ａから照射される連続光の照射方向と、眼球１から出射される出射光の出射方向とは、図１では互いに垂直であるが、角度は垂直に限定されず、任意である。
【００２７】
図１の眼球分析装置は、例えば、以下のようにして使用することができる。まず、光照射手段１０により、連続光が眼球１に照射される。具体的には、まず、光源１０Ａから連続光を照射される。前記連続光は、例えば、白色光、またはスーパーコンティニューム（ＳＣ）光であっても良い。光源１０Ａから照射された前記連続光は、レンズ１１によって収束され、つぎに、ビームスプリッタ１２によって反射され、さらに、レンズ１３によって収束された後に、眼球１に照射される。なお、眼球１の眼底に光が照射される場合は、前記光が眼底よりも下層にも届くことにより、後述するように、眼底および眼底よりも下層の間の空間の状態を分析可能である。本発明により分析可能な眼底および眼底よりも下層の間の空間の部位としては、例えば、後述するように、眼底、網膜、前記眼底および眼底よりも下層の間の空間の断層、前記空間に存在する血管等が挙げられる。また、本実施例および後述する他の実施例では、主に、眼球１に照射される光が連続光である場合について説明する。しかし、本発明において、眼球に照射される光（例えば、光源１０Ａから出射される光）は、前述のとおり、連続光に限定されない。
【００２８】
つぎに、眼球１に照射された前記連続光の少なくとも一部が、眼球１による反射、蛍光もしくは散乱等で、眼球１から出射される。眼球１から出射された出射光は、レンズ１３によって収束され、ビームスプリッタ１２を透過する。
【００２９】
ビームスプリッタ１２を透過した前記出射光は、Aユニット１００Ａにより、以下のように処理される。すなわち、まず、前記出射光は、光分離手段２０のマイクロレンズアレイ２１に入射し、二次元的に分離され、その後、マスク２２を透過することで、眼球１の空間の位置に応じて分離され、さらに、レンズ２３によりコリメートされる。二次元的に分離されてレンズ２３を透過した前記出射光は、分光手段（回折格子）３１により波長ごとに分光される。なお、同図では、前記出射光が、回折格子３１により、各単色光に分離される例を示している。そして、回折格子３１により分光された光は、レンズ４１によって収束され、撮像手段４２に照射される。これにより、撮像手段４２に画像が形成される。その画像を、例えば、スペクトル解析手段（図示せず）に供し、各視野の分光スペクトルを解析する。これにより、眼球１の状態の微細な変化も検出可能である。
【００３０】
図１の眼球分析装置によれば、分光手段（回折格子）３１により波長ごとに分光した異なる波長の光を、同時に撮像手段４２に照射して画像を形成する。これにより、分析の時間同時性が確保できる。また、例えば、分析の視野（分析対象となる眼球１の空間の範囲）を広げるために、スキャン機構（図示せず）によりスキャンを行いながら眼球１を分析しても良い。このように、ユニットAを含む眼球分析装置は、分析の時間同時性が確保できるという利点がある。また、ユニットAは、異なる波長の光を同時に分析できるため、例えば、複数の波長の情報をプローブとした分析に有用である。ただし、ユニットAを含む眼球分析装置の用途はこれに限定されず、例えば、赤外光を用いた分析等にも使用できる。
【００３１】
なお、分光手段として、回折格子３１に代えて、例えば、プリズム等を用い、前記出射光を波長ごとに分光しても良い。また、例えば、回折格子３１に代えて、波長フィルターを用い、前記出射光から特定の光の波長のみを取り出すようにしても良い。また、光分離手段２０は、例えば、さらに、イメージスライサー、スリット、アパーチャー（ダイヤフラム）、ファイバーバンドル等の少なくとも一つを含んでいても良い。
【００３２】
［実施形態２］
図２に、本発明の眼球分析装置の構成の別の一例を示す。図１の装置は、分光手段が回折格子３１のみにより構成されていたが、図２の装置は、図示のとおり、さらに狭帯域フィルター３３を含み、回折格子３１および狭帯域フィルター３３により分光手段３０が構成されている。なお、狭帯域フィルター３３は、狭帯域フィルターに代えて、オーダーカットフィルターであっても良い。また、狭帯域フィルター３３は、図２では、回折格子３１とレンズ４１との間に配置されている。ただし、狭帯域フィルター３３の位置は、これに限定されず、例えば、レンズ２３と回折格子３１との間に配置されていても、同様の効果を得ることができる。回折格子３１を透過した前記出射光は、必要な波長帯域の光のみが選択的に狭帯域フィルター３３を透過し、レンズ４１に照射される。これら以外は、図２の眼球分析装置は、図１の眼球分析装置と同じである。狭帯域フィルター３３によって、必要のない波長帯の光をカットできるので、例えば、撮像手段４２の画像形成面（検出器面）を有効に用いることができる。より具体的には、例えば、前記画像形成面（検出器面）において、分光スペクトルを映さない部分を、眼球内の測定視野の拡大に充てることができる。これにより、本実施形態は、特に、波長分解能が高い（波長またはそれに関する、より詳細な情報を分析する）スペクトルの場合に有効である。
【００３３】
［実施形態３］
図３に、本発明の眼球分析装置の構成のさらに別の一例を示す。図示のとおり、この眼球分析装置は、光照射手段１０において、レンズ１１とビームスプリッタ１２との間に、偏光板６１が配置されている。偏光板６１は、例えば、光軸を軸として回転可能であっても良い。また、Aユニット１００Ａにおいて、レンズ２３と分光手段（回折格子）３１との間に、１／２波長板２６および偏光板２７が、光出射側から前記順序で配置されている。なお、偏光板２７は、例えば、偏光板に代えて偏光ビームスプリッタであっても良い。これら以外は、図３の眼球分析装置は、図１の眼球分析装置と同じである。
【００３４】
図３の眼球分析装置は、例えば、以下のようにして使用することができる。まず、図１と同様、光源１０Ａから連続光を照射させる。光源１０Ａから照射された連続光は、レンズ１１によって収束された後、偏光板６１によって直線偏光にされる。偏光された前記連続光は、ビームスプリッタ１２、レンズ１３によって図１と同様に処理されて眼球１に照射され、さらに、その少なくとも一部が、眼球１からの出射光となってレンズ１３およびビームスプリッタ１２を通過する。
【００３５】
ビームスプリッタ１２を透過した前記出射光は、Aユニット１００Ａにより、以下のように処理される。すなわち、まず、前記出射光は、光分離手段２０のマイクロレンズアレイ２１、マスク２２およびレンズ２３によって、図１と同様に処理され、眼球１の空間の位置に応じて分離される。つぎに、レンズ２３を透過した前記出射光は、１／２波長板２６に入射する。１／２波長板２６は、回転させることが可能であり、これにより、前記出射光の直線偏光の方位を変えることができる。１／２波長板２６を透過した前記出射光は、偏光板２７により、特定の方向の直線偏光が選択的に出射され、その後、分光手段（回折格子３１）により波長ごとに分光される。分光手段（回折格子３１）により波長ごとに分光された光は、レンズ４１、撮像手段４２および任意にスペクトル解析手段（図示せず）により、図１と同様に処理される。このとき、前記スペクトル解析手段によって異なる方向の直線偏光の分光スペクトルを比較することにより、眼球１の少なくとも一部における、左右の円偏光に対する屈折率の違い（旋光性）が検出されてもよい。
【００３６】
なお、本発明において、偏光板の配置および使用方法は、図３の例に限定されない。例えば、本発明の眼球分析装置により得られたデータをラマン分光法により分析する場合、ラマン散乱によって生じる特定の方位の直線偏光だけを通すフィルターを使えば、眼球内の分子から発せられるルミネッセンス光などのバックグラウンド光（直線偏光を持たない光、無偏光）を抑えることができる。具体的には、例えば、光源１０Ａから照射された連続光または眼球１からの出射光がバックグラウンド光を含む場合、ビームスプリッタ１２とマイクロレンズアレイ２１との間（マイクロレンズアレイ２１の光入射側）等に直線偏光板（直線偏光手段）を配置して偏光フィルターとする。これにより、バックグラウンド光を透過させず、ラマン散乱に必要な直線偏光だけを透過させて用いることができる。
【００３７】
また、例えば、直線偏光板に代えて、円偏光板を用い、眼球１に入射する光または眼球1から出射（射出）される光を円偏光しても良い。円偏光板を用いた場合は、例えば１／２波長板２６を回転可能な１／４波長板に置き換えるか、または、１／２波長板２６の光入射側または光出射側に隣接して、回転可能な１／４波長板を用いても良い。円偏光板（円偏光手段）６１は、例えば、透過させる円偏光の回転方向の左右を切り替え可能であっても良い。また、前記１／４波長板により、円偏光を直線偏光に変換することができる。また、１／２波長板２６により、直線偏光の方位または円偏光の回転方向を変えることができる。このようにすれば、例えば、眼球１の少なくとも一部における、左右の円偏光に対する吸光度の違いを検出することができる。これにより、例えば、眼球１中の光学異性体の検出を行うことができる。前記光学異性体としては、例えば、アミノ酸又はアミノ酸残基のL体とD体が挙げられる。
【００３８】
［実施形態４］
図４に、本発明の眼球分析装置の構成のさらに別の一例を示す。同図は、前記Bユニットを含む眼球分析装置の一例である。図示のとおり、この眼球分析装置は、連続光を眼球に照射する光照射手段１０と、Bユニット１００Ｂとから構成されている。
【００３９】
光照射手段１０の構成は、図１と同じである。Bユニット１００Ｂは、前記連続光を照射された眼球１から出射する出射光を、眼球１の空間の位置に応じて分離する光分離手段（撮像手段）２０Ｂと、前記出射光を波長ごとに分光する分光手段（波長可変フィルター）３２とを含む。また、Bユニット１００Ｂは、さらに、レンズ２５および４１を含む。Bユニット１００Ｂの構成要素は、図示のとおり、眼球１からの出射光の出射側から、レンズ２５、分光手段（波長可変フィルター）３２、レンズ４１、光分離手段（撮像手段）２０Ｂの順序で配置されている。
【００４０】
また、図４の眼球分析装置は、分光手段として、図１〜３の回折格子３１に代えて、前述のとおり、波長可変フィルター３２を有する。波長可変フィルター（チューナブルフィルター）３２は、例えば、ファブリペローエタロン等であっても良い。
【００４１】
図４の眼球分析装置において、レンズ４１は、例えば、コリメータレンズであっても良い。
【００４２】
撮像手段２０Ｂは、例えば、光が像を表示する撮像素子を含んでも良く、その撮像素子の前面に画像が形成されても良い。撮像手段２０Ｂは、実施形態１（図１〜３）の撮像手段４２と同様、例えば、カメラであっても良く、その撮像面に画像が形成されても良い。図４において、撮像手段２０Ｂの画像形成面は、例えば、カメラレンズ、または赤外線カメラ（例えば、波長1.2μm以下の場合はブラックシリコン素子、波長0.7〜1.8μmの場合はInGaAs素子やHgCdTe素子、波長1〜5μmの場合はInSb素子またはHgCdTe）の撮像面であっても良い。
【００４３】
図４の眼球分析装置は、例えば、以下のようにして使用することができる。まず、光源１０Ａから連続光を照射する。照射された連続光が、レンズ１１、ビームスプリッタ１２およびレンズ１３を透過して眼球１に照射され、さらに、眼球１からの出射光に変換されてレンズ１３およびビームスプリッタ１２を透過するまでは、図１の眼球分析装置と同様である。
【００４４】
つぎに、ビームスプリッタ１２を透過した前記出射光により、レンズ２５の光入射側の像面２４に、眼球１の少なくとも一部の画像（例えば眼底像）が結像される。さらに、前記出射光は、像面２４からレンズ２５に入射し、レンズ２５によりコリメートされた後に、波長可変フィルター３２により分光され、特定波長の単色光が取り出される。取り出された単色光は、レンズ４１によって収束され、撮像手段２０Ｂに照射される。そして、撮像手段２０Ｂにより、前記分光された出射光が撮像され、撮像して得られた画像上の画素によって前記分光された出射光が二次元的に分離される。このようにして、光分離手段２０により、眼球１から出射する出射光を、眼球１の空間の位置に応じて二次元的に分離することができる。その画像を、例えば、スペクトル解析手段（図示せず）に供し、各視野の分光スペクトルを解析する。これにより、眼球１の状態の微細な変化も検出可能である。また、波長可変フィルター３２により取り出される単色光の波長を変更することで、異なる波長の光による分析が可能である。
【００４５】
図４のようにユニットBを含む眼球分析装置によれば、例えば、空間分解能が高いという利点を有する。このため、ユニットBを含む眼球分析装置は、例えば、赤外光を用いた分析に有用である。ただし、ユニットBを含む眼球分析装置の用途はこれに限定されず、例えば、可視光を用いた分析等にも使用できる。また、例えば、実施形態１〜３（図１〜３）の装置と同様、必要に応じ、スキャン機構（図示せず）を用いてスキャンすることにより、分析の視野を広げても良い。
【００４６】
［実施形態５］
図５に、本発明の眼球分析装置の構成のさらに別の一例を示す。図４の装置は、分光手段が波長可変フィルター３２のみにより構成されていたが、図５の装置は、図示のとおり、さらに狭帯域フィルター３３を含み、波長可変フィルター３２および狭帯域フィルター３３により分光手段３０が構成される。なお、狭帯域フィルター３３は、狭帯域フィルターに代えて、他の任意のフィルターでも良く、例えば、広帯域フィルターでも良いし、オーダーカットフィルターでも良い。また、狭帯域フィルター３３は、図５では波長可変フィルター３２とレンズ４１との間に配置されている。波長可変フィルター３２を透過した前記出射光は、必要な波長帯域の光のみが選択的に狭帯域フィルター３３を透過し、レンズ４１に照射される。これら以外は、図５の眼球分析装置は、図４の眼球分析装置と同じである。また、狭帯域フィルター３３の配置位置は、図５の位置に限定されず、例えば、波長可変フィルター２３を透過した前記出射光を狭帯域フィルター３３に入射させることができれば良く、具体的には、レンズ４１と撮像手段２０Ｂとの間等でも良い。狭帯域フィルター３３により、波長可変フィルター２３を透過した前記出射光に含まれる不要な波長帯域の光（検出対象の波長とは異なる波長の光、または他の次数の光）を遮断（カット）し、前記のとおり、必要な波長帯域の光のみを選択的に透過させることができる。
【００４７】
［実施形態６］
図６に、本発明の眼球分析装置の構成のさらに別の一例を示す。図示のとおり、この眼球分析装置は、光照射手段１０において、レンズ１１とビームスプリッタ１２との間に、偏光板６１が配置されている。また、Bユニット１００Ｂにおいて、レンズ２５と波長可変フィルター３２との間に、１／２波長板２６および偏光板２７が、光出射側から前記順序で配置されている。なお、偏光板２７は、図３と同様、例えば、偏光板に代えて偏光ビームスプリッタであっても良い。これら以外は、図６の眼球分析装置は、図４の眼球分析装置と同じである。また、図６の眼球分析装置は、Aユニット１００Ａに代えてBユニット１００Ｂを有すること以外は、図３の眼球分析装置と同じである。
【００４８】
図６の眼球分析装置は、例えば、以下のようにして使用することができる。まず、光源１０Ａから出射された連続光が眼球１に照射され、さらに眼球１からの出射光となってビームスプリッタ１２を通過するまでは、図３と同じである。ビームスプリッタ１２を透過した前記出射光は、Bユニット１００Ｂにより、以下のように処理される。すなわち、まず、前記出射光は、光分離手段２０の像面２４およびレンズ２５によって、図４と同様に処理され、眼球１の空間の位置に応じて分離される。つぎに、レンズ２５を透過した前記出射光は、１／２波長板２６に入射する。１／２波長板２６は、回転させることが可能であり、これにより、前記出射光の直線偏光の方位を変えることができる。１／２波長板２６を透過した前記出射光は、偏光板２７により、一方向の直線偏光が選択的に出射され、その後、波長可変フィルター３２により、波長ごとに分離され、特定波長の単色光が取り出される。取り出された単色光は、レンズ４１、撮像手段２０Ｂおよび任意にスペクトル解析手段（図示せず）により、図４と同様に処理される。
【００４９】
図６の眼球分析装置は、例えば、図３と同様に、直線偏光だけを通すフィルターを用いてラマン分光法等に用いることも出来るし、直線偏光板に代えて円偏光板を用い、眼球１中の光学異性体の検出等に用いても良い。
【００５０】
［実施形態７］
図７に、本発明の眼球分析装置のさらに別の構成の一例を示す。図示のとおり、この装置は、光照射手段１０、Aユニット２００ＡおよびBユニット２００Ｂにより構成されている。光照射手段１０は、光源を２つ含む。また、AユニットおよびBユニットは、実施形態１〜６（図１〜６）と同様、光分離手段および分光手段を含む。
【００５１】
光照射手段１０は、２つの光源１０Ａおよび１０Ｂと、反射鏡７１およびレンズ７２と、ビームスプリッタ７３、７４および７５とにより構成されている。光源１０Ａおよび１０Ｂは、特に限定されないが、例えば、実施形態１〜６（図１〜６）の光源１０Ａと同様でも良い。反射鏡７１は、例えば、ガルバノミラーであっても良い。反射鏡７１は、回転により光の反射方向変化させることができる。
【００５２】
光源１０Ａから照射される連続光の光路には、前記連続光の照射側から順に、レンズ７２およびビームスプリッタ７３が、この順序で配置され、光源１０Ａ、レンズ７２およびビームスプリッタ７３により、照射ユニット３００Ａが構成されている。なお、照射ユニット３００Ａを透過する連続光の照射方向は、図７では、Aユニット２００ＡおよびBユニット２００Ｂをそれぞれ透過する光の透過方向に対し垂直であるが、角度は特に限定されず、垂直でなくても良い。そして、ビームスプリッタ７３は、Aユニット２００Ａにおけるレンズ７７の光入射側に配置されている。また、照射ユニット３００Ａの光出射側には、ビームスプリッタ７５が配置されている。ビームスプリッタ７５は、Bユニット２００Ｂにおけるレンズ７６の光入射側に配置されている。
【００５３】
光源１０Ｂの光出射側には、反射鏡７１が配置されている。また、眼球１から出射される出射光の光路には、前記出射光の出射側から順に、ビームスプリッタ７４、ビームスプリッタ７５、およびAユニット２００Ａが配置されている。
【００５４】
Aユニット２００Ａは、マイクロレンズアレイ２１の光入射側にレンズ７６が配置されていること以外は、図２の装置のAユニット１００Ａと同じである。Bユニット２００Ｂは、像面２４の光入射側にレンズ７７が配置されていること以外は、図５のBユニット１００Ｂと同じである。なお、Aユニット２００ＡおよびBユニット２００Ｂをそれぞれ透過する光の透過方向は、図７では互いに平行であるが、角度は特に平行に限定されず、任意である。
【００５５】
図７の眼球分析装置は、例えば、以下のようにして使用することができる。まず、光源１０Ａから連続光を照射させる。光源１０Ａから照射された連続光は、レンズ７２およびビームスプリッタ７３をこの順序で透過した後、ビームスプリッタ７５で反射され、ビームスプリッタ７４を透過して眼球１に照射される。眼球１に照射された前記連続光の少なくとも一部は、眼球１による反射、蛍光もしくは散乱等で、眼球１から出射される。眼球１から出射された出射光は、ビームスプリッタ７４を透過する。ビームスプリッタ７４を透過した前記出射光の一部は、ビームスプリッタ７５を透過し、Aユニット２００Ａのレンズ７６によって収束される。レンズ７６を透過した光は、Aユニット２００Ａによって、図２のAユニット１００Ａと同様に処理される。Aユニット２００Ａの撮像手段４２に形成された画像は、例えば、スペクトル解析手段（図示せず）に供され、各視野の分光スペクトルが解析される。
【００５６】
また、ビームスプリッタ７４を透過した前記出射光の一部は、ビームスプリッタ７５により反射され、さらにビームスプリッタ７３により反射され、Bユニット２００Ｂのレンズ７７によって収束される。レンズ７７を透過した光は、Bユニット２００Ｂによって、図５のBユニット１００Ｂと同様に処理される。Bユニット２００Ｂの撮像手段２０Ｂに形成された画像は、例えば、スペクトル解析手段（図示せず）に供され、各視野の分光スペクトルが解析される。
【００５７】
また、図７の眼球分析装置は、例えば、以下のようにしても使用することができる。まず、光源１０Ｂから連続光を照射させる。光源１０Ｂから照射された連続光は、反射鏡７１により反射され、さらにビームスプリッタ７４により反射されて眼球１に照射される。反射鏡７１は、前記のとおり、回転により光の反射方向を変化させることが可能であり、これにより、眼球１内をスキャンして分析視野を拡大することができる。眼球１に照射された前記連続光の少なくとも一部は、眼球１による反射等で、眼球１から出射される。眼球１から出射された出射光は、ビームスプリッタ７４を透過し、その後、ビームスプリッタ７５を透過し、または反射され、光源１０Ａからの光と同様に、Aユニット２００ＡおよびBユニット１００Ｂで処理される。
【００５８】
図７の装置によれば、例えば、２つの光源（光照射手段）１０Ａおよび１０Ｂを、目的に応じて適宜切り替えて、または２つを同時に用いることができる。例えば、２つの光源の一方が可視光を照射する光源で、他方が赤外光を照射する光源でも良い。また、例えば、Aユニット２００ＡおよびBユニット２００Ｂを、目的に応じて適宜切り替えて、または２つを同時に用いることができる。
【００５９】
また、図７の装置の構成は、他にも適宜変更が可能である。例えば、図３または６の装置と同様に、偏光板を用いても良い。
【００６０】
［実施形態８］
図８に、本発明の眼球分析装置のさらに別の構成の一例を示す。この装置は、図７の光源１０Ｂに代えて照射ユニット（レーザーユニット）３００Ｂを有すること以外は、図７と同じである。レーザーユニット３００Ｂは、コヒーレントアンチストークスラマン分光（CARS）用光照射手段である。レーザーユニット３００Ｂは、光照射手段（光源）１０Ｃおよび１０Ｄと、光路長調整ユニット１０１と、リレーレンズ１０２とにより構成される。光路長調整ユニット１０１は、例えば、光を反射可能なミラー等から構成されており、光源１０Ｄから照射された連続光（ストークス光）を反射する。そして、光路長調整ユニット１０１が、図中の矢印に示すとおり、光源１０Ｄからの前記連続光の照射方向に沿って前後に移動することで、前記連続光の光路長を調整できる。これによって、光路長調整ユニット１０１は、例えば、後述する、連続光と超短パルスレーザー（ポンプ光およびプローブ光）の眼球への入射タイミングを合わせる役割を果たす。
【００６１】
光源１０Ｄは、例えば、スーパーコンティニューム光（SC）を発する光源である。光源１０Ｃは、レーザー光（単色パルス光）を照射する。前記レーザー光は、例えばフェムト秒またはピコ秒レーザーを種光とし、光源１０Ｄから照射されるスーパーコンティニューム光の励起光の役割を果たす。また、前記レーザー光は、例えば、可視光または赤外線の超短パルスレーザーである。
【００６２】
また、図８の装置において、光源１０Ａが、白色光源であり、照射ユニット３００Ａが、前記白色光源を含む白色光源ユニットであっても良い。光源１０Ａは、例えば、ハロゲン光源または黒体（波長域による）であっても良い。レンズ７２は、例えば、拡散板、コンデンサーレンズ、コリメータレンズ等であっても良い。
【００６３】
図８の眼球分析装置は、例えば、以下のようにして使用することができる。まず、光源１０Ｃおよび１０Ｄから光を照射させる。光源１０Ｄから照射されたスーパーコンティニューム光は、光路長調整ユニット１０１により光路長が調整される。光源１０Ｃから照射されたレーザー光は、リレーレンズ１０２により反射される。これにより、前記スーパーコンティニューム光（連続光）および前記レーザー光の光路が重なって混合光となる。前記混合光は、反射鏡７１により反射され、図７の装置と同様の経路により、眼球１に照射され、眼球１から射出されたアンチストークスラマン散乱光がさらにAユニット２００ＡおよびBユニット２００Ｂに入射する。Bユニット２００Ｂでは、回折格子３２により、眼球１からの出射光が分光される。これら以外は、図８の眼球分析装置は、図７の装置と同様にして使用できる。例えば、光源１０Ｃおよび１０Ｄに加え、またはそれに代えて、光源１０Ａから連続光を照射させて、図７の装置と同様に使用することができる。
【００６４】
図８の装置によれば、前記のとおり、光源１０Ｄによるスーパーコンティニューム光（SC）と光源１０Ｃによるレーザー光（単色パルス光）との混合光を眼球１に照射し、眼球内で生成されたアンチストークスラマン散乱光を回折格子３２により分光する。一般に、アンチストークスラマン光は通常のラマン散乱光にくらべて非常に強度が高く、かつポンプ光によって発生するルミネッセンス光の影響を受けないので、これによりさらに感度が高い分析をすることができる。
【００６５】
図８の装置によれば、例えば、レーザーユニット３００ＢおよびBユニット２００Ｂを用いてCARSを行うことで、例えば、眼内における白内障の空間分布情報を取得し、白内障マッピングができる。これにより、例えば、進行が進んでいない状態においても白内障が検知できる。また、前記CARSを行うことで、例えば、眼底断層の３次元マッピング（眼底写真＋深さ）を行うことができる。このためには、ラマン散乱光としては解像度が高いことが好ましい。また、透過力の高い近赤外線光（波長１０００〜１５５０ｎｍ）を用いることが好ましい。ただし、これらの用途は例示であり、図８の装置の用途は、これらに限定されない。また、この装置の構成も、特に限定されない。例えば、図５の装置（Bユニットを含みAユニットを含まない）の光源１０をレーザーユニット３００Ｂに変えた装置を、図８の装置と同様の用途に用いることも出来る。なお、本発明において「眼底断層」は、眼底および眼底よりも下層の間の空間の断層を含む。
【００６６】
なお、図８の装置において、ストークス光（眼球１に照射される連続光のうち、プローブとなる眼球中の分子の励起に関わる光）の波長は、特に限定されないが、例えば、１０００〜１５５０ｎｍである。網膜、眼底等を分析する場合は、眼球中の水の吸収帯等を考慮して、分析対象部位まで光を届きやすくする観点から、波長が１４００ｎｍを超えないことが好ましい。また、ポンプ光（光源１０Ｃから出射されるレーザー光）の波長も特に限定されないが、例えば、７００ｎｍ以上である。光源１０Ｃの出力も特に限定されないが、例えば、光源１０Ｃからの光の放出持続時間が１０秒の場合、１５．６ｍＷ以下である。
【００６７】
図８の装置に限らず、本発明の眼球分析装置において、眼球に照射される光の波長、出力等は、安全性を考慮して適切に選択することが好ましい。また、光源の出力は、例えば、レーザ安全性の標準化（JISC6802）および眼光学機器における光ハザードからの保護（JIST15004-2）等に定める最大許容露光量（MPE:Maximum  Permissible  Exposure）を超えないようにすることが好ましい。光源が複数の場合であって、それぞれの出射光の波長における最大許容露光量が同じ（同じ規制波長帯）場合は、全光源の出力の和が、最大許容露光量を超えないようにすることが好ましい。また、光源が２つの場合であって、それぞれの出射光の波長における最大許容露光量が異なる（異なる規制波長帯）場合は、第１の光源の露光量と、第２の光源の露光量とが、下記数式（１）の関係を満たすことが好ましい。光源が３つ以上の場合も、同様である。また、例えば、後述する図９のように、混合光が波長選択フィルターにより分光され、必要な波長の光のみが選択的に眼球に照射される場合は、光源からの出射光に代えて、眼球に照射される光の露光量が、最大許容露光量を超えないようにしても良い。
（Ｅ１／Ｅ１ｍａｘ）＋（Ｅ２／Ｅ２ｍａｘ）≦１            （１）
Ｅ１：第１の光源の出射光の露光量
Ｅ１ｍａｘ：第１の光源の出射光の波長における最大許容露光量
Ｅ２：第２の光源の出射光の露光量
Ｅ２ｍａｘ：第２の光源の出射光の波長における最大許容露光量
【００６８】
［実施形態９］
図９に、本発明の眼球分析装置のさらに別の構成の一例を示す。この装置は、光照射手段１０が、波長選択フィルター（バンドパスフィルター）７８を含み、波長選択フィルター７８が、反射鏡７１とビームスプリッタ７４との間に配置されていること以外は、図８と同じである。反射鏡７１により反射された混合光は、波長選択フィルター７８により分光され、必要な波長の光のみが、選択的に眼球１に照射される。具体的には、例えば、前記混合光に含まれる光のうち、ストークス光（眼球１に照射される連続光のうち、プローブとなる眼球中の分子の励起に関わる光）およびポンプ光（光源１０Ｃから出射されるレーザー光）のみが波長選択フィルター７８を通過（透過）し、選択的に眼球１に照射される。
【００６９】
図１０のグラフに、波長選択フィルター７８の機能を模式的に示す。同図において、横軸は波長であり、縦軸は透過率である。図示のとおり、ポンプ光の波長λｐと、ストークス光の波長帯λｓの光のみが波長選択フィルター７８を通過し、他の波長の光はカットされる。ただし、図１０は例示であり、本発明をなんら限定しない。例えば、図１０におけるポンプ光の波長λｐおよびストークス光の波長帯λｓは、一例であって、本発明はこれに限定されない。また、例えば、図１０ではストークス光の波長帯が１つであるが、ストークス光の波長帯が複数の場合は、前記複数の波長帯のストークス光が全て波長選択フィルター７８を透過しても良い。ストークス光の波長帯が複数であると、例えば、複数の疾患（例えば、白内障およびアルツハイマー病）に対応する分析が可能であり、それらの早期診断等に対応できる。
【００７０】
必要な波長以外の光を波長選択フィルター７８で遮断（カット）し、眼球１に入射させないようにすることで、例えば、眼球１に入射する光エネルギー量を抑え、眼球分析の安全性を高めることができる。また、例えば、必要な波長以外の光がなくなることで、眼内で発生する散乱光およびルミネッセンス光が減少することでバックグラウンド光が減少し、ラマン光が検出しやすくなり、ラマン光の波長に対応した分析（例えば、特定タンパク質等の分子の分析）の精度が向上する。
【００７１】
また、例えば、光源１０Ｄとして、連続光に代えてストークス光のみを出射する単色レーザー光源を用い、波長選択フィルター７８を用いなくても、波長選択フィルター７８の使用と同様の効果を得ることができる。しかしながら、連続光を用いた方が、温度変化によるレーザー出力波長の温度ドリフトなどの不安定性に強くなる（ロバストになる）ため好ましい。
【００７２】
ストークス光の波長帯が複数の場合は、例えば、波長選択フィルター７８を複数用い、それぞれを切り替えることで、それぞれの波長選択フィルターに対応したストークス光の波長帯を通過させるようにしても良い。また、例えば、波長選択フィルター７８を複数用いることに加え、またはそれに代えて、波長選択フィルター７８が波長可変フィルターであっても良い。
【００７３】
また、例えば、複数の波長帯のストークス光を通過させるために、波長選択フィルター７８が回折格子および波長選択マスクを含んでいても良い。図１１に、回折格子および波長選択マスクを含む波長選択フィルター７８の一例を示す。図示のとおり、この波長可変フィルター７８は、回折格子７８ａ、レンズ７８ｂ、波長選択マスク７８ｃ、レンズ７８ｄ、および回折格子７８ｅが、光入射側（図の下側）から前記順序で配置されている。図示のとおり、まず、回折格子７８ａにより混合光が分光される。分光された混合光は、レンズ７８ｂを通過し、波長選択マスク７８ｃにより、１つまたは複数（図では２つ）の波長帯の光のみが選択的に通過される。波長選択マスク７８ｃを通過した光は、レンズ７８ｄおよび回折格子７８ｅを通過した後に、眼球１に照射される。なお、波長選択マスク７８ｃは、例えば、波長選択フィルターまたは波長可変フィルターであっても良い。また、図１１の波長選択フィルター７８において、光入射側と光出射側とを逆にして用いることも出来る。
【００７４】
［本発明の用途］
本発明の眼球分析装置および眼球分析方法は、例えば、以下の用途に用いることができる。ただし、これらは例示であって、本発明をなんら限定しない。
【００７５】
本発明によれば、例えば、眼球内において、前記眼球への光の入射方向に対し垂直な面を、前記眼球の空間の位置に応じて分析することができる。分析対象とする前記面は、特に限定されないが、例えば、眼底であっても良いし、網膜、角膜、または水晶体の少なくとも一部であっても良い。
【００７６】
また、本発明によれば、前記眼球からの出射光を波長ごとに分光することにより、例えば、前記面方向の分析において、さらに波長を変化させた分析（三次元分光分析）を行うことができる。図１２に、本発明における三次元分光分析の概念を模式的に示す。図１２は、前記平面方向（Ｘ方向およびＹ方向とする）に加え、さらに、波長の変化（Ｚ方向とする）に応じた分析を行うことを示している。異なる波長帯で三次元分光分析を行うことによって、例えば、眼底断層写真の撮像により、赤外線波長の違いによる深度の違いの分析を行うことができる。また、例えば、可視光または赤外線の特定の波長の吸収を利用して、白内障検査に用いることができる。また、例えば、眼内血管、視神経等の撮像により、可視光の特定の波長での分光分析を行うことができる。
【００７７】
また、本発明によれば、例えば、前記眼球への光の入射方向に対し垂直な面方向に加え、前記光の入射方向に平行な方向（前記眼球の奥行き方向）も含めて三次元的に分析することも可能である。また、これに加え、さらに波長を変化させた分析（四次元分光分析）を行うことができる。また、例えば、前記波長を変化させた四次元分光分析に加え、さらに、測定時刻を変化させた（測定方向に時間を加えた）五次元分光分析も可能である。
【００７８】
また、本発明によれば、例えば、前記眼球内の空間の特定位置において、前記特定位置からの出射光の波長と、前記出射光の偏光方位角（Δθ）との関係を二次元的にプロットすることで、前記特定位置における眼球の状態を分析できる。前記眼球の状態としては、例えば、疾患の進行度合い等が挙げられる。より具体的には、例えば、前記特定位置における波長と偏光方位角（Δθ）との関係から、前記特定位置におけるＬ−アルギン酸とＤ−アルギン酸との割合を算出し、これにより、前記特定位置における白内障の進行度合いを判断できる。また、同様にして前記眼球内の様々な位置の波長と偏光方位角（Δθ）との関係をプロットすることで、前記様々な位置の疾患の進行度合いを判断できる。
【００７９】
また、本発明の用途は、前記の説明に限定されず、眼球分析における任意の用途に広く使用可能である。例えば、本発明は、タンパク質（クリスタリンなど）の変性、眼球に分泌される物質などの分析に用いることができる。具体的には、例えば、眼球中のアミロイドタンパク質の分析により、アルツハイマー病の早期発見等に用いることができる。また、例えば、水晶体構成タンパク質（クリスタリン）中のトリプトファンが、酸化されたキヌレニンもしくは３-ヒドロキシキヌレニンを分析することで、または、タンパク質中のリジン残基と体内の糖が結合してできたAGE（advanced  glycated  end  products)を分析することで、前述した白内障の早期発見も可能である。また、例えば、本発明は、透過力が高い長波長の光を用いることにより、眼底の深部、または、眼底および眼底よりも下層の間の空間まで分析可能であり、これにより、視神経の状態、毛細血管の状態、網膜の状態などを分析することができる。また、本発明によれば、例えば、非侵襲的に、かつ簡便に眼球の分析を行うことができる。
【００８０】
また、本発明では、例えば、前述のとおり、眼球に照射する光を、複数の波長の光を含む混合光（例えば、白色光、ＳＣ光等の連続光、または複数の単色光の混合光）とすることができる。現在広く用いられている波長掃引型OCT(SS-OCT：Swept  Source  Optical  Coherence  Tomography)では、複数の波長の光を時間的に分けて入射するため、測定（分析）時間が長くなり、患者への負担も大となる。これに対し、本発明においては、例えば、前記複数の波長の光を含む混合光を一度だけ眼球に照射するのみで眼球の分析が可能である。これにより、SS-OCTと比較して分析時間を大幅に短縮可能であり、患者への負担を軽減できる。ただし、この説明は例示であり、本発明をなんら限定しない。
【００８１】
以上、実施形態１〜９により、本発明の眼球分析装置および眼球分析方法の例について説明し、さらに、本発明の用途の例について説明した。ただし、本発明は、これらに限定されず、任意の変更が可能である。例えば、本発明は、AユニットおよびBユニットの一方または両方を含む眼球装置のみには限定されない。また、例えば、分光法としては、CARS等のラマン分光法を中心に説明したが、本発明に用いることのできる分光法はこれに限定されず、例えば、フーリエ分光、時間領域分光等の、一般的に用いられる任意の分光法を使用可能である。
【産業上の利用可能性】
【００８２】
以上、説明したとおり、本発明によれば、眼球の状態の微細な変化も検出可能で、疾患の早期発見等に有用な眼球分析装置および眼球分析方法を提供することができる。これにより、本発明は、眼球の状態に関連した各種疾患の早期発見等に多大な貢献が可能である。
【符号の説明】
【００８３】
１０  光照射手段
１０Ａ、１０Ｂ、１０Ｃ、１０Ｄ  光源
１１、１３、２３、２５、４１、７２、７６、７７  レンズ
１２、７３、７４、７５  ビームスプリッタ
２０  光分離手段
２０Ｂ  撮像手段（光分離手段）
２１  マイクロレンズアレイ
２２  マスク（視野マスク）
２４  像面
２６  １／２波長板
２７  偏光板
６１  偏光板または円偏光板（円偏光手段）
４２  撮像手段
３０  分光手段
３１  回折格子（分光手段）
３２  波長可変フィルター（分光手段）
３３  狭帯域フィルター
７１  反射鏡
７８  波長選択フィルター
７８ａ、７８ｅ  回折格子
７８ｂ、７８ｄ  レンズ
７８ｃ  波長選択マスク
１００Ａ、２００Ａ  Aユニット
１００Ｂ、２００Ｂ  Bユニット
３００Ａ  照射ユニット（白色光源ユニット）
３００Ｂ  照射ユニット（レーザーユニット）
【図１】
2019034163.tif 000003
【図２】
2019034163.tif 000004
【図３】
2019034163.tif 000005
【図４】
2019034163.tif 000006
【図５】
2019034163.tif 000007
【図６】
2019034163.tif 000008
【図７】
2019034163.tif 000009
【図８】
2019034163.tif 000010
【図９】
2019034163.tif 000011
【図１０】
2019034163.tif 000012
【図１１】
2019034163.tif 000013
【図１２】
2019034163.tif 000014
【手続補正書】
【提出日】平成30年12月6日(2018.12.6)
【手続補正２】
【補正対象書類名】特許請求の範囲
【補正対象項目名】全文
【補正方法】変更
【補正の内容】
【特許請求の範囲】
【請求項１】
光照射手段、下記Aユニットおよび下記Bユニットを含み、
下記Aユニットおよび下記Bユニットが前記光照射手段を共用する、眼球分析装置。
（Aユニット）
光分離手段および分光手段を含み、
前記分光手段が、回折格子を含み、
前記光照射手段により、複数の波長の光を含む混合光が眼球に照射され、
前記光分離手段により、前記混合光を照射された前記眼球から出射する出射光が、前記眼球の空間の位置に応じて二次元的に分離され、
前記回折格子により、前記二次元的に分離された出射光が、分光される、
ユニット。
（Bユニット）
光分離手段および分光手段を含み、
前記光分離手段が、撮像手段を含み、
前記分光手段が、波長可変フィルターを含み、
前記波長可変フィルターにより、前記光を照射された前記眼球から出射する出射光が、分光され、
前記撮像手段により、前記分光された出射光が撮像され、撮像して得られた画像上の画素によって、前記分光された出射光が、前記眼球の空間の位置に応じて二次元的に分離される、
ユニット。
【請求項２】
前記眼球分析装置において、さらに、コヒーレントアンチストークスラマン分光（CARS）用光照射手段を含み、
前記CARS用光照射手段により、連続光及びレーザー光の混合光が眼球に照射され、
前記回折格子により、前記混合光が照射された眼球からの出射光に含まれるラマン散乱光が分光される
請求項１記載の眼球分析装置。
【請求項３】
前記CARS用光照射手段が、波長選択フィルターを含み、
前記波長選択フィルターにより、前記混合光が分光され、必要な波長の光のみが選択的に眼球に照射される
請求項２記載の眼球分析装置。
【請求項４】
前記波長選択フィルターが、回折格子および波長選択マスクを含み、
前記回折格子により、前記混合光が分光され、必要な波長の光のみが前記波長選択マスクを通過し、眼球に照射される
請求項３記載の眼球分析装置。
【請求項５】
前記分光手段が、さらに、狭帯域フィルターを含み、
前記分光された出射光が前記狭帯域フィルターを通過する、
請求項１から４のいずれか一項に記載の眼球分析装置。
【請求項６】
さらに、円偏光手段を含み、
前記円偏光手段により、前記眼球に入射する光が、円偏光される、
請求項１から５のいずれか一項に記載の眼球分析装置。
【請求項７】
さらに、円偏光分析手段を含み、
前記円偏光分析手段により、前記眼球の少なくとも一部における、左右の円偏光に対する吸光度の違いが検出される、請求項６記載の眼球分析装置。
【請求項８】
さらに、直線偏光手段を含み、
前記直線偏光手段により、前記混合光を照射された前記眼球から出射する出射光が、直線偏光される、
請求項１から７のいずれか一項に記載の眼球分析装置。
【請求項９】
さらに、直線偏光分析手段を含み、
前記直線偏光分析手段により前記直線偏光が分析されることで、前記眼球の少なくとも一部における、左右の円偏光に対する屈折率の違いが検出される、
請求項８記載の眼球分析装置。